(57)【要約】【課題】第一内容物と第二内容物とを混合させながら効率良く注出することができる混合容器を提供することを目的とする。【解決手段】第一内容物Ｘを収容した容器本体２と、容器本体２の口部２０に装着されて連通路３０及び収容室３１を有する中栓３と、注出口４０を有する注出部材４と、オーバーキャップ５と、を備え、注出部材４には、中栓３に設けられた係止部３７に対して下側に間隔をあけて配設され、注出部材４の上方移動によって係止部３７に係止される被係止部４５と、オーバーキャップ５に設けられた係合部５７に対して係合され、注出部材４の上方移動における被係止部４５に対する係止部３７の係止によって係合部５７から離脱される被係合部４６と、収容室３１の開口部３８を閉塞し、注出部材４の上方移動によって開口部３８から離脱して開口部３８を開口させる栓部４１と、が備えられている。【選択図】図１
2010260595.tif 000002
【特許請求の範囲】
【請求項１】
第一内容物を内部に収容した容器本体と、
該容器本体の口部に装着され、前記容器本体の内部に連通される連通路及び第二内容物を収容する収容室を有する中栓と、
前記中栓に対して前記口部の軸線方向に沿って相対移動可能に設けられ、前記連通路に連通する注出口を有する注出部材と、
前記口部に着脱可能に装着されて前記注出口を覆うオーバーキャップと、
を備えており、
前記注出部材には、
前記中栓に設けられた係止部に対して軸線方向下側に間隔をあけて配設され、前記注出部材の前記中栓に対する軸線方向上側への相対移動によって前記係止部に係止される被係止部と、
前記オーバーキャップに設けられた係合部に対して係合され、前記注出部材の前記中栓に対する軸線方向上側への相対移動における前記被係止部に対する前記係止部の係止によって前記係合部から離脱される被係合部と、
前記収容室と前記注出口とを連通させる前記収容室の開口部を閉塞し、前記注出部材の前記中栓に対する軸線方向上側への相対移動によって前記開口部から離脱して該開口部を開口させる栓部と、
が備えられていることを特徴とする混合容器。
【発明の詳細な説明】
【技術分野】
【０００１】
本発明は、独立して収容された第一内容物と第二内容物とを、注出時に混合させることが可能な混合容器に関するものである。
【背景技術】
【０００２】
この種の混合容器として、例えば、ボトルの口部に螺着されたオーバーキャップを取り外すことで、ボトル内に収容された第一内容物と、ボトルの口部内に嵌め込まれた中栓に収容された第二内容物とを、混合させながら注出させることができる混合容器が知られている（特許文献１参照）。
【０００３】
この混合容器を詳細に説明すると、中栓は、円筒状の外筒と、外筒の内側に配設され、外筒の下端部に一体的に連設された有頂筒状の内筒と、で構成されている。このように構成された中栓は、ボトルの口部内に嵌め込まれている。また、中栓の外筒と内筒との間には環状の収容室が確保されており、この収容室内に第二内容物が収容されている。
また、この中栓には、内筒の上部を覆うカップ状のキャップが装着されている。この際、キャップは、内筒に対して非接触状態とされており、第二内容物を内筒の頂壁部まで流動可能とさせている。
【０００４】
また、中栓が嵌め込まれた口部には、オーバーキャップが螺着されている。この際、オーバーキャップの頂壁部の下面には、下方に向けて突出した穿刺部が形成されている。この穿刺部は、オーバーキャップが螺着された際に、中栓を覆うキャップと中栓の内筒の頂壁部とを同時に穿刺し、先端が頂壁部を突き抜けて内筒の内部に到達するようになっている。
【０００５】
このように構成された混合容器によれば、オーバーキャップを取り外す前の段階では、第一内容物と第二内容物とが混合することがない。ここで、使用するにあたってオーバーキャップを取り外した場合には、穿刺部が引き抜かれるので、内筒の頂壁部及びキャップが開口した状態となる。そのため、第一内容物と第二内容物とを混合させながら注出することができるようになっている。
【先行技術文献】
【特許文献】
【０００６】
【特許文献１】欧州特許出願公開第０５３４９０９号明細書
【発明の概要】
【発明が解決しようとする課題】
【０００７】
しかしながら、従来の混合容器は、オーバーキャップを螺着した際に、穿刺部がキャップ及び内筒の頂壁部を穿刺する構造であるため、穿刺時に捲れ等が発生する可能性が高かった。従って、オーバーキャップを取り外して使用する際に、この捲れ等が注出を妨げてしまう恐れがあり、注出性能の低下を招く可能性があった。
【０００８】
この発明は、このような事情を考慮してなされたもので、その目的は、第一内容物と第二内容物とを混合させながら効率良く注出することができる混合容器を提供することである。
【課題を解決するための手段】
【０００９】
本発明に係る混合容器は、第一内容物を内部に収容した容器本体と、該容器本体の口部に装着され、前記容器本体の内部に連通される連通路及び第二内容物を収容する収容室を有する中栓と、前記中栓に対して前記口部の軸線方向に沿って相対移動可能に設けられ、前記連通路に連通する注出口を有する注出部材と、前記口部に着脱可能に装着されて前記注出口を覆うオーバーキャップと、を備えており、前記注出部材には、前記中栓に設けられた係止部に対して軸線方向下側に間隔をあけて配設され、前記注出部材の前記中栓に対する軸線方向上側への相対移動によって前記係止部に係止される被係止部と、前記オーバーキャップに設けられた係合部に対して係合され、前記注出部材の前記中栓に対する軸線方向上側への相対移動における前記被係止部に対する前記係止部の係止によって前記係合部から離脱される被係合部と、前記収容室と前記注出口とを連通させる前記収容室の開口部を閉塞し、前記注出部材の前記中栓に対する軸線方向上側への相対移動によって前記開口部から離脱して該開口部を開口させる栓部と、が備えられていることを特徴としている。
【００１０】
上記した本発明に係る混合容器を使用する際には、口部に装着されたオーバーキャップを取り外す。このとき、オーバーキャップの係合部と注出部材の被係合部とが互いに係合されているので、オーバーキャップが容器本体に対して軸線方向上側に相対移動すると、オーバーキャップと共に注出部材が中栓に対して軸線方向上側に相対移動し、注出部材が引き上げられる。これにより、注出部材の栓部が中栓の収容室の開口部から離脱し、収容室の開口部が開口され、注出部材の注出口と収容室とが連通される。
また、オーバーキャップが容器本体に対して軸線方向上側に相対移動し、オーバーキャップと共に注出部材が中栓に対して軸線方向上側に相対移動すると、中栓の係止部によって注出部材の被係止部が係止され、中栓に対する注出部材の軸方向上側への相対移動が規制される。これにより、注出部材の被係合部がオーバーキャップの係合部から離脱して外れ、注出部材とオーバーキャップとの係合が解除される。
その後、オーバーキャップを容器本体に対して軸線方向上側に相対移動させることで、オーバーキャップが口部から取り外される。このとき、注出部材は引き上げられた状態で中栓に装着されている。
次に、容器本体を傾けて、容器本体内の第一内容物と中栓の収容室内の第二内容物とを注出口から注出する。詳しく説明すると、容器本体を傾けると、容器本体内に収容された第一内容物が中栓の連通路内に流入し、この連通路内を通って注出部材の注出口から注出されると共に、中栓の収容室内の第二内容物が開口部から流出して注出部材の注出口から注出され、これら第一、第二内容物は共通の注出口から注出されることで注出時に混合される。
【発明の効果】
【００１１】
本発明に係る混合容器によれば、オーバーキャップの取り外し動作に伴い注出部材が引き上げられて中栓の収容室の開口部が開口されるので、中栓の一部を穿刺したりすることなく、第一内容物と第二内容物とを共通の注出口から注出させることができる。したがって、何の妨げを受けることなく、第一内容物と第二内容物とを混合させながら効率良く注出することができる。
【図面の簡単な説明】
【００１２】
【図１】本発明の実施の形態を説明するための混合容器の縦断面図である。
【図２】本発明の実施の形態を説明するためのオーバーキャップの開封時における混合容器の上部の縦断面図である。
【図３】本発明の実施の形態を説明するための注出時における混合容器の上部の縦断面図である。
【発明を実施するための形態】
【００１３】
以下、本発明に係る混合容器の実施の形態について、図面に基いて説明する。
なお、図１に示す一点鎖線Ｏは、混合容器１の中心軸線を表しており、以下、単に「軸線Ｏ」と記す。また、この軸線Ｏに沿った方向を「軸方向」とし、軸線Ｏに直交する方向を「径方向」とし、軸線Ｏ回りの方向を「周方向」とする。また、容器本体２における口部２０側（図１における上側）を「上」とし、その反対側（図１における下側）を「下」とする。
【００１４】
図１に示すように、混合容器１は、２種類の内容物をそれぞれ収容すると共にこれらの内容物を注出しながら混合させる混合容器である。内容物としては、主液Ｘと、その主液Ｘに添加される添加物Ｙと、が収容されている。主液Ｘは、例えば食品、化粧品、薬品などの液体であり、添加物Ｙは、例えば、粘度が高く主液Ｘに比べて流動性が低い濃縮液、フレーバー（食品香料）などの液体や固体（粒状物、粉状物等）である。混合容器１の概略構成としては、容器本体２と、中栓３と、注出部材４と、オーバーキャップ５と、を備えている。
【００１５】
容器本体２は、内部に主液Ｘを収容する容器であり、その概略構成としては、軸方向に延在する筒状の胴部２１と、胴部２１の下端に設けられた底部２２と、胴部２１の上端に設けられた肩部２３と、肩部２３から軸方向に沿って立設された口部２０と、を備えている。胴部２１は、軸線Ｏを中心軸線にする筒状の周壁部である。底部は、胴部２１の下端を閉塞する壁部である。肩部２３は上方に向かうに従い漸次縮径された環状の壁部である。口部２０は、軸線Ｏを中心軸線にする略円筒形状の筒部であり、肩部２３の内縁から立設されている。口部２０の軸方向中間部の外周面には、雄ねじ２４が形成されている。また、口部２０の軸方向上端には、段状に縮径された小径部２５が設けられている。
【００１６】
中栓３は、容器本体２の口部２０に装着される部材であり、容器本体２の内部に連通される連通路３０と、添加物Ｙを収容する収容室３１と、を有している。詳しく説明すると、中栓３の概略構成としては、外周壁３２と、内周壁３３と、底壁部３４と、フランジ部３５と、嵌合部３６と、を備えている。
【００１７】
外周壁３２は、口部２０の内側に挿通された略円筒形状の筒部であり、軸線Ｏを共通軸にして口部２０と同軸上に配設されている。外周壁３２の内周面の上部には、内径が拡径されて縦断面視凹状に形成された拡径部３２ａが全周に亘って形成されており、外周壁３２の内周面の上端部には、拡径部３２ａの内周面よりも径方向内側に突出した係止部３７が全周に亘って設けられている。
【００１８】
内周壁３３は、外周壁３２の内側に配設された略円筒形状の筒部であり、軸線Ｏを共通軸にして外周壁３２及び口部２０と同軸上に配設されている。この内周壁３３の上下端はそれぞれ開口されており、内周壁３３の内周面の内側が上記した連通路３０となっている。また、内周壁３３の外周面は上記した外周壁３２の内周面との間に隙間をあけて形成されており、この内周壁３３の外周面と外周壁３２の内周面との間の空間が上記した収容室３１となっている。つまり、収容室３１は、連通路３０の径方向外側に環状に形成されている。
【００１９】
底壁部３４は、外周壁３２の下端と内周壁３３の下端との間に配設された壁部であり、軸線Ｏ回りに延設された円環状の壁部である。この底壁部３４によって上記した収容室３１の下側が閉塞されている。なお、収容室３１の上端には、収容室３１と後述する注出口４０とを連通する開口部３８が形成されている。
フランジ部３５は、外周壁３２の上端から径方向外側に向けて突出されていると共に外周壁３２の上端に沿って全周に亘って延設された円環状の壁部である。このフランジ部３５は、口部２０の上端面の上に載置されている。
嵌合部３６は、口部２０の小径部２５の径方向外側に嵌め込まれてアンダーカット嵌合される円筒形状の筒部であり、フランジ部３５の外縁から垂下されて口部２０の小径部２５の径方向外側に周設されている。
【００２０】
注出部材４は、中栓３に装着されていると共に中栓３に対して軸方向に沿って相対移動可能に設けられた部材であり、上記した連通路３０に連通する注出口４０を有している。この注出部材４は、オーバーキャップ５に対して係合されており、容器本体２に対するオーバーキャップ５の軸方向への移動に伴い中栓３に対して軸方向に沿って移動して収容室３１上端の開口部３８を開閉すると共に、オーバーキャップ５の口部２０からの離脱に伴いオーバーキャップ５から分離して上記開口部３８を開口させた状態で中栓３に装着されるものである。詳しく説明すると、注出部材４の概略構成としては、栓部４１と、フランジ部４２と、ノズル部４３と、ガイド部４４と、を備えている。
【００２１】
栓部４１は、収容室３１の開口部３８の内側に着脱可能に嵌合されて開口部３８を閉塞する円筒形状の筒部であり、注出部材４の中栓３に対する軸線方向上側への相対移動によって開口部３８から離脱して開口部３８を開口させるものである。詳しく説明すると、栓部４１は、内径が中栓３の内周壁３３の上端部の外径と略同径で、外径が中栓３の外周壁３２の上端部の内径と略同径の筒部であり、収容室３１の開口部３８の内側に液密、且つ軸方向に移動可能に嵌合されている。
【００２２】
フランジ部４２は、栓部４１の上端部の外縁から径方向外側に突出した突出部であり、栓部４１の外周面に沿って全周に亘って延設された円環状の壁部である。このフランジ部４２の下面は、中栓３のフランジ部３５の上面に当接されている。
【００２３】
ノズル部４３は、栓部４１の上端部の内縁から立設された円筒形状の筒部であり、その先端（上端）に上記した注出口４０が形成されている。このノズル部４３は、軸線Ｏを中心軸にして軸方向に延設されている。また、ノズル部４３の内径は、栓部４１の内径よりも小さくて中栓３の連通路３０の内径と略同径であり、ノズル部４３の下端面が中栓３の内周壁３３の上端面に当接されていると共に、ノズル部４３の内部が中栓３の連通路３０（内周壁３３の内部）に連通されている。すなわち、注出口４０は、ノズル部４３の内部を介して中栓３の連通路３０に連通されている。
【００２４】
ガイド部４４は、注出部材４が中栓３に対して軸方向に沿って移動するように案内する円筒形状の筒部であり、栓部４１の下端外縁から垂下されて収容室３１の内側に配設されている。詳しく説明すると、ガイド部４４は、外径が栓部４１の外径と略同径で内径が栓部４１の内径よりも大径の筒部であり、その内周面が内周壁３３の外周面との間に隙間をあけて配設されていると共にその外周面が外周壁３２の内周面に摺動自在に当接されている。
【００２５】
また、注出部材４には、注出部材４の中栓３に対する軸方向上側への相対移動によって中栓３の係止部３７に係止される被係止部４５と、後述するオーバーキャップ５の係合部５７に対して係合され、注出部材４の中栓３に対する軸線方向上側への相対移動における被係止部４５に対する係止部３７の係止によって係合部５７から離脱される被係合部４６と、が備えられている。
【００２６】
被係止部４５は、ガイド部４４の上部の外周面から径方向外側に突出した凸部であり、ガイド部４４の外周面に沿って全周に亘って延設されている。この被係止部４５は、中栓３の外周壁３２の内周面に形成された拡径部３２ａの内側に配設されており、拡径部３２ａの内周面に摺接されていると共に係止部３７に対して軸方向下側に間隔をあけて配設されている。
被係合部４６は、ノズル部４３の上端部の外周面から径方向外側に突出した凸部であり、ノズル部４３の外周面に沿って全周に亘って延設されている。
【００２７】
オーバーキャップ５は、容器本体２の口部２０に着脱可能に装着されて注出部材４の注出口４０を覆うキャップ体である。オーバーキャップ５の概略構成としては、天壁部５０と、周壁部５１と、立上り筒部５２と、先端壁部５３と、を備えている。
【００２８】
天壁部５０は、軸線Ｏに対して垂直に配設された円環状の板部であり、中栓３のフランジ部３５の上方に配設されていると共に軸線Ｏを中心軸にして配設されている。天壁部５０の下面には、天壁部５０の内縁に沿って全周に亘って延設された円環状のシール部５４が突設されている。
【００２９】
周壁部５１は、天壁部５０の外縁から垂下された円筒形状の筒部であり、軸線Ｏを共通軸にして容器本体２の口部２０及び中栓３の嵌合部３６と同軸上に配設されていると共に口部２０及び嵌合部３６の外周に周設されている。この周壁部５１の内周面には、容器本体２の雄ねじ２４に螺着される雌ねじ５５が形成されており、オーバーキャップ５は、雄ねじ２４及び雌ねじ５５によって口部２０に対して螺合されている。
【００３０】
立上り筒部５２は、天壁部５０の内縁から軸方向に沿って立設された筒部であり、内部に注出部材４のノズル部４３が収納されている。立上り筒部５２は、軸方向上側に向かうに従い漸次縮径されたテーパー形状の筒部である。
【００３１】
先端壁部５３は、立上り筒部５２の上端部を閉塞する壁部であり、軸線Ｏに対して垂直に配設されている。先端壁部５３は、注出部材４のノズル部４３（注出口４０）の上方に配設されており、先端壁部５３の下面には、注出口４０の内側に着脱可能に嵌合される筒状の嵌合部５６が垂下されている。
【００３２】
また、オーバーキャップ５には、上記した注出部材４の被係合部４６に着脱可能に係合される係合部５７が備えられている。この係合部５７は、立上り筒部５２の内周面から径方向内側に向けて突出した断面視円弧形状の凸部であり、注出部材４の被係合部４６の軸方向下側から係合されている。
【００３３】
次に、上記した構成からなる混合容器１の作用について説明する。
【００３４】
上記した混合容器１を使用する際には、まず、図２に示すように、口部２０に装着されたオーバーキャップ５を取り外す。具体的に説明すると、オーバーキャップ５を軸線Ｏ回りに回転させ、口部２０の雄ねじ２４とオーバーキャップ５の雌ねじ５５との螺合を緩めていく。これにより、オーバーキャップ５が、徐々に口部２０に対して上方に相対移動していく。
【００３５】
このとき、オーバーキャップ５の係合部５７と注出部材４の被係合部４６とが互いに係合されているので、オーバーキャップ５と共に注出部材４が引き上げられる。すなわち、オーバーキャップ５が容器本体２に対して軸線方向上側に相対移動すると、オーバーキャップ５と共に注出部材４が中栓３に対して軸線方向上側に相対移動する。これにより、注出部材４の栓部４１が中栓３の収容室３１の開口部３８の内側から抜け出て離脱し、収容室３１の開口部３８が開口される。その結果、収容室３１が開口部３８を介してノズル部４３の内部に連通されてノズル部４３先端の注出口４０に連通される。
【００３６】
一方、オーバーキャップ５と共に注出部材４が引き上げられると、注出部材４の被係止部４５が、中栓３の外周壁３２の拡径部３２ａの内周面に沿って軸方向上側に摺動し、中栓３の係止部３７に対して軸方向下側から当接して係止される。これにより、中栓３に対する注出部材４の軸方向上側への相対移動が規制される。そして、さらにオーバーキャップ５が軸方向上側に移動すると、オーバーキャップ５の係合部５７が注出部材４の被係合部４６を乗り越え、注出部材４の被係合部４６がオーバーキャップ５の係合部５７から離脱して外れ、その結果、注出部材４とオーバーキャップ５との係合が解除される。これにより、オーバーキャップ５だけが取り外され、注出部材４は中栓３に装着された状態となる。このとき、注出部材４の栓部４１及びガイド部４４の各外周面が中栓３の外周壁３２の内周面に圧接されているので、注出部材４がずれ落ちることがなく、注出部材４が引き上げられて収容室３１の開口部３８が開口された状態が保持される。
【００３７】
次に、図３に示すように、容器本体２を傾けて、容器本体２内の主液Ｘと中栓３の収容室３１内の添加物Ｙとを注出部材４の注出口４０から注出する。詳しく説明すると、容器本体２を傾けると、容器本体２内に収容された主液Ｘが中栓３の連通路３０内を通って注出部材４のノズル部４３内に流入する。一方、容器本体２を傾けると、収容室３１内の添加物Ｙが開口部３８を通ってノズル部４３内に流入する。そして、ノズル部４３内に流入した主液Ｘ及び添加物Ｙは、共通の注出口４０から注出される。このとき、主液Ｘ及び添加物Ｙは、注出時にノズル部４３内および注出口４０において混合される。
【００３８】
また、混合容器１の使用後は、オーバーキャップ５を容器本体２の口部２０に装着する。
詳しく説明すると、オーバーキャップ５を容器本体２の口部２０に被せ、オーバーキャップ５の立上り筒部５２の内側に注出部材４のノズル部４３を挿入させると共に、オーバーキャップ５の周壁部５１の内側に中栓３の嵌合部３６を挿入させる。このとき、オーバーキャップ５の係合部５７が注出部材４の被係合部４６に上側から当接される。
【００３９】
続いて、オーバーキャップ５を軸線Ｏ回りに回転させ、口部２０の雄ねじ２４とオーバーキャップ５の雌ねじ５５とを螺合させていく。これにより、オーバーキャップ５が、徐々に口部２０に対して下方に相対移動していく。これにより、係合部５７及び被係合部４６を介して注出部材４が押し下げられる。その結果、注出部材４の栓部４１が収容室３１の開口部３８の内側に嵌合され、収容室３１が栓部４１によって密閉される。
【００４０】
その後、さらにオーバーキャップ５を軸線Ｏ回りに回転させ、口部２０の雄ねじ２４とオーバーキャップ５の雌ねじ５５とを螺合させていくと、注出部材４のフランジ部４２の下面が中栓３のフランジ部３５の上面に当接されて係止される。これにより、上記したオーバーキャップ５の係合部５７が注出部材４の被係合部４６を乗り越えて係合部５７と被係合部４６とが係合されて注出部材４がオーバーキャップ５に嵌合されると共に、嵌合部５６が注出部材４の注出口４０の内側に嵌合されて注出口４０が密閉され、さらに、シール部５４が中栓３のフランジ部３５の上面に密接して中栓３とオーバーキャップ５との間がシールされる。
以上により、容器本体２の口部２０にオーバーキャップ５が再び装着されて混合容器１が密封される。
【００４１】
上記した構成からなる混合容器１によれば、オーバーキャップ５の取り外し動作に伴い注出部材４が引き上げられて中栓３の収容室３１の開口部３８が開口されるので、中栓３の一部を穿刺したりすることなく、主液Ｘと添加物Ｙとを共通の注出口４０から注出させることができる。したがって、主液Ｘと添加物Ｙとを混合させながら効率良く注出することができる。
【００４２】
以上、本発明に係る混合容器の実施の形態について説明したが、本発明は上記した実施の形態に限定されるものではなく、その趣旨を逸脱しない範囲で適宜変更可能である。
例えば、上記した実施の形態では、注出部材４にノズル部４３が備えられ、ノズル部４３の先端に注出口４０が形成されているが、本発明は、注出部材４を中栓に対して引き上げ可能であれば、この形態に限定されない。さらに、上記した実施の形態では、ガイド部４４やフランジ部４２が備えられているが、これらを適宜省略することも可能である。
【００４３】
また、上記した実施の形態では、外周壁３２及び内周壁３３を備える中栓３が備えられており、平面視円環状の収容室３１の内側に連通路３０が形成された構成となっているが、本発明は、収容室３１や連通路３０の形状や配置は適宜変更可能である。例えば、平面視円環状の連通路の内側に収容室が形成された構成であってもよく、或いは、平面視において収容室と連通路とが２分割にされた構成や、収容室を２つ以上に区画した構成であってもよい。
【００４４】
また、上記した実施の形態では、注出部材４の被係止部４５がガイド部４４の外周面に設けられ、中栓３の係止部３７が外周壁３２の内周面に設けられているが、本発明は、被係止部や係止部の位置や形状は適宜変更可能である。例えば、注出部材４の栓部４１やガイド部４４の内周面等に被係止部が設けられていてもよく、また、中栓３の内周壁３３等に係止部が設けられていてもよい。
【００４５】
また、上記した実施の形態では、注出部材４の被係合部４６がノズル部４３の外周面に設けられ、オーバーキャップ５の係合部５７が立上り筒部５２の内周面に設けられているが、本発明は、被係合部や係合部の位置や形状は適宜変更可能である。例えば、注出部材４のフランジ部４２やノズル部４３の内周面等に被係合部が設けられていてもよく、また、オーバーキャップ５の天壁部５０や先端壁部５３、嵌合部５６等に係合部が設けられていてもよい。
【００４６】
また、上記した実施の形態では、軸方向に沿って延在する筒形状の容器本体２が用いられているが、本発明は、容器本体の形状は適宜変更可能であり、例えば球形状や略卵形状の容器本体を用いることも可能である。
【００４７】
また、上記した実施の形態では、容器本体２内に液体状の主液Ｘが収容され、収容室３１内に液体状の添加物Ｙが収容されているが、本発明は、液体を収容する混合容器に限定されるものではなく、第一、第二内容物として粉末や顆粒、粘性体などの内容物が収容されていてもよい。例えば、収容室３１に粉末状や顆粒状の添加物が収容されていてもよい。
【００４８】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００４９】
１  混合容器
２  容器本体
３  中栓
４  注出部材
５  オーバーキャップ
３０  連通路
３１  収容室
３７  係止部
３８  開口部
４１  栓部
４５  被係止部
４６  被係合部
５７  係合部
Ｘ  主液（第一内容物）
Ｙ  添加物（第二内容物）
【図１】
2010260595.tif 000003
【図２】
2010260595.tif 000004
【図３】
2010260595.tif 000005